(57)【要約】【課題】搬送される金属板材１の板幅寸法が変化しても、何らの調整を施すことなく、エッジ部にオーバーヒートを生じることなく板幅方向の温度分布を均一にすることができるトランスバース方式誘導加熱コイル２を提供すること。【解決手段】搬送される金属板材１の片面側の板幅方向に延設されたコイル導体Ａと、もう片面側の板幅方向に延設されたコイル導体Ｂを備え、双方のコイル導体に相互に反対方向の交番電流を流して、前記金属板材の板厚方向に交番磁界を貫通させて、前記金属板材を誘導加熱するトランスバース方式誘導加熱コイルであって、双方のコイル導体の平面形状はいずれも山部と谷部が交互に連続する波形状であり、双方のコイル導体の波の中心線が重なるように、かつ、双方のコイル導体の波の位相が反転するように、双方のコイル導体を前記金属板材１を挟んで対向して配置したトランスバース方式誘導加熱コイル２。【選択図】図１
2008257927.tif 000002
【特許請求の範囲】
【請求項１】
搬送される金属板材の片面側の板幅方向に延設されたコイル導体と、
もう片面側の板幅方向に延設されたコイル導体を備え、
双方のコイル導体に相互に反対方向の交番電流を流して、前記金属板材の板厚方向に交番磁界を貫通させて、前記金属板材を誘導加熱するトランスバース方式誘導加熱コイルであって、
双方のコイル導体の平面形状はいずれも山部と谷部が交互に連続する波形状であり、
双方のコイル導体の波の中心線が重なるように、かつ、双方のコイル導体の波の位相が反転するように、双方のコイル導体を前記金属板材を挟んで対向して配置したトランスバース方式誘導加熱コイル。
【請求項２】
搬送される金属板材の片面側の板幅方向に延設されたコイル導体と、
同一面側の板幅方向に延設されたコイル導体を備え、
双方のコイル導体に相互に反対方向の交番電流を流して、前記金属板材の板厚方向に交番磁界を貫通させて、前記金属板材を誘導加熱するトランスバース方式誘導加熱コイルであって、
双方のコイル導体の平面形状はいずれも山部と谷部が交互に連続する波形状であり、
双方のコイル導体の波の中心線が重なるように、かつ、双方のコイル導体の波の位相が反転するように、双方のコイル導体を前記金属板材の片面側に重ねて配置したトランスバース方式誘導加熱コイル。
【請求項３】
金属板材の片面側に重ねて配置した請求項２に記載のコイル導体を前記金属板材の片面側ともう片面側に備え、
片面側ともう片面側のコイル導体に同一方向の交番電流を流して、前記金属板材の板厚方向に交番磁界を貫通させて、前記金属板材を誘導加熱するトランスバース方式誘導加熱コイルであって、
片面側ともう片面側のコイル導体の波の中心線が重なるように、かつ、片面側ともう片面側のコイル導体の波の位相が一致するように、片面側ともう片面側のコイル導体を前記金属板材を挟んで対向して配置した請求項２に記載のトランスバース方式誘導加熱コイル。
【発明の詳細な説明】
【技術分野】
【０００１】
本発明は、搬送される金属板材を誘導加熱するトランスバース方式誘導加熱コイルに関し、特に搬送される金属板材の板幅寸法が変化しても、何らの調整を施すことなく、金属板材のエッジ部（両側縁部）が過熱するオーバーヒートを生じることなく、板幅方向の温度分布を均一にできるトランスバース方式誘導加熱コイルに関する。
【背景技術】
【０００２】
搬送される金属板材を誘導加熱する方式としては、ソレノイド方式とトランスバース方式が知られている。
ソレノイド方式は、巻回状に形成した誘導加熱コイルの中に金属板材を通過させて、誘導加熱コイル内に発生させた交番磁界を金属板材の長手方向に貫通させて、その磁界の作用で金属板材を加熱する方式である。
一方、トランスバース方式は、一般的には、金属板材を挟むように対向して配置した誘導加熱コイルの間に金属板材を通過させて、誘導加熱コイル内に発生させた交番磁束を金属板材の板厚方向に貫通させて、その磁界の作用で金属板材を加熱する方式である。  
【０００３】
ところで、後者のトランスバース方式は板幅方向の温度分布の制御が難しいため、板幅方向に均一に加熱しようとしても、板幅方向の温度分布が不均一になる欠点がある。具体的には、誘導加熱コイルの長さＵが金属板材の板幅Ｗより長い場合には、誘起された誘導電流が金属板材のエッジ部を集中して流れるため、金属板材のエッジ部が局部的に過熱されるオーバーヒートが発生する。反対に、誘導加熱コイルの長さＵが金属板材の板幅Ｗより短い場合には、金属板材のエッジ部を流れる誘導電流が減少して、エッジ部の温度が板中央部よりも低くなる。すなわち、トランスバース方式は、誘導加熱コイルの長さＵを適当に設定しないと、板幅方向に均一に加熱しようとしても板幅方向の温度分布を均一にできない欠点がある。
【０００４】
このような理由から、搬送される金属板材の板幅寸法が変化して板幅寸法の異なる金属板材を誘導加熱する場合には、その都度金属板材の板幅寸法に適合した誘導加熱コイルに調整・交換しなければならなかった。そして、当該誘導加熱コイルの調整や交換作業は大変な労力や時間を伴って生産性が著しく阻害されるため、この問題を解決するために、従来から種々の誘導加熱装置または誘導加熱方法が提案されてきた（例えば、特許文献１〜４参照）。
【０００５】
特許文献１には、誘導加熱コイル（インダクタ）と金属板材のエッジ部との間に、金属板材との重ね幅が調整可能な非磁性遮蔽板を備えて、当該非磁性遮蔽板によって遮られたエッジ部以外の部分を誘導加熱コイルによって加熱した後、今度は搬送方向後段となる下流側に設置されたエッジヒータによって、エッジ部のみを加熱する誘導加熱装置と誘導加熱方法が開示されている。
当該装置または方法の原理については、非磁性遮蔽板をエッジ部に重ねて遮蔽することによってエッジ部の温度を板中央部よりも確実に低温にした後、今度はエッジ部のみをエッジヒータによって加熱することから、エッジ部が過熱するオーバーヒートを生じることなく、板幅方向の温度分布を確実に均一にできるというものである。また、非磁性遮蔽板は金属板材との重ね幅を調整できるので、搬送される金属板材の板幅寸法が変化したとしても、誘導加熱コイルを交換することなく、非磁性遮蔽板の重ね幅を調整するのみで対応できるというものである。
しかしながら、当該装置または方法においては、金属板材との重ね幅が調整可能な非磁性遮蔽板およびエッジヒータの設置が必要となるから設備構成が複雑となり、さらに、板中央部を加熱した後にエッジ部を加熱するという段階的な加熱を行うことから制御も複雑となった。また、当該段階的な加熱は、金属板材の反りや形状変化の要因となった。
【０００６】
特許文献２には、金属板材の長手方向に延設された一対の補助導体と、その上流側および下流側の板幅方向に延設された一対の主導体によって誘導加熱コイルを形成した誘導加熱装置が開示されている。  
当該装置の原理については、補助導体の配置を調整することによって誘起された誘導電流を分散して流すことができるので、すなわち、誘導電流がエッジ部に集中して流れることを回避できるので、エッジ部のオーバーヒートを防止できるとともに板幅方向の温度分布を均一にできるというものである。また、補助導体は自在に移動できるので、搬送される金属板材の板幅寸法が変化したとしても、主導体および補助導体を交換することなく、補助導体の設置位置を調整するのみで対応できるというものである。
しかしながら、当該装置においては補助導体の配置を調整することによって誘導電流の流れ自体を制御するので、補助導体をどの位置に配置すべきかの決定が難しく、板幅方向の温度分布が均一となる位置に補助導体を配置できるようになるには多くの経験と熟練を要した。
【０００７】
特許文献３には、金属板材の板幅方向に沿って配置される誘導加熱コイルを少なくともエッジ側加熱コイルと中央側加熱コイルとに分割して構成し、当該分割された複数の加熱コイルの周波数・電流位相を同期させた個別の電力制御を行い、これにより板幅方向の温度分布を均一にする誘導加熱装置が開示されている。
当該装置の原理については、誘導加熱コイルを板幅方向に分割して構成することによって、当該複数の加熱コイルの周波数・電流位相を個別に電力制御することができるので、分割された各加熱コイル毎にパワー分配することが可能となり、これにより搬送される金属板材の板幅寸法が変化したとしても、板幅方向の温度分布を均一にできるというものである。
しかしながら、当該装置においては少なくともエッジ側加熱コイルと中央側加熱コイルとに分割して誘導加熱コイルを構成するので装置構成が複雑となるとともに、当該分割された複数の誘導加熱コイルの周波数・電流位相を同期させる必要があるので制御も複雑となった。
【０００８】
特許文献４には、金属板材を挟むように対向して配置した誘導加熱コイルの間であって、金属板材のエッジ部近傍に磁性体を配置した誘導加熱装置が開示されている。
当該装置の原理については、誘導加熱コイル内に発生させた交番磁束は、金属板材のエッジ部近傍に配置した磁性体を集中的に通過するため、エッジ部を貫通する交番磁束が減少し、誘起された誘導電流がエッジ部に集中して流れることを回避できるので、エッジ部のオーバーヒートを生じることなく板幅方向の温度分布を均一にできるというものである。また、前記磁性体は自在に移動できることから、搬送される金属板材の板幅寸法が変化したとしても、前記磁性体の配置を調整するのみで対応できるというものである。
しかしながら、当該装置においては磁性体の配置を調整することによってエッジ部を貫通する交番磁束の磁束密度自体を制御するので、磁性体をエッジ部近傍のどの位置に配置すべきかの決定が難しく、板幅方向の温度分布が均一となる位置に磁性体を配置できるようになるには多くの経験と熟練を要した。
【０００９】
以上のようにトランスバース方式の欠点を改善して板幅方向に均一な加熱を実現すべく、従来から種々の誘導加熱装置または誘導加熱方法が提案されてきた。
しかしながら、搬送される金属板材の板幅寸法が変化して板幅寸法の異なる金属板材を誘導加熱する場合には、上記いずれの誘導加熱装置または誘導加熱方法においても、エッジ部近傍に配置した非磁性遮蔽板、補助導体、磁性体等の配置を調整するか、あるいは、分割されたコイル毎の電力調整が必要であり、しかも当該磁性体等の配置調整や電力調整は複雑なものであった。
すなわち、現段階においては、金属板材の板幅寸法の変化に対して自動的に対応することのできる誘導加熱装置、誘導加熱方法、および誘導加熱コイルは皆無である。
【特許文献１】特開昭６３−１３３４８４号公報
【特許文献２】特開平２−４６６８４号公報
【特許文献３】特開２００２−３１３５４７号公報
【特許文献４】特開２００６−２９４３９６号公報
【発明の開示】
【発明が解決しようとする課題】
【００１０】
本発明の解決すべき課題は、搬送される金属板材の板幅寸法が変化しても、何らの調整を施すことなく、エッジ部にオーバーヒートを生じることなく板幅方向の温度分布を均一にすることができるトランスバース方式誘導加熱コイルを提供することである。
【課題を解決するための手段】
【００１１】
本発明者は、前記課題を解決すべく様々な実験的検討および理論的検討を重ねた結果、以下の技術的知見を得た。
【００１２】
（Ａ）第１の技術的知見
平面形状が山部と谷部が交互に連続する波形状のコイル導体を２本用意し、図１に示すように、一方のコイル導体Ａを金属板材１の片面側の板幅方向に、他方のコイル導体Ｂを金属板材のもう片面側の板幅方向に延設する。この際に、双方のコイル導体Ａ、Ｂは、波の中心線が重なるように、かつ、双方のコイル導体の波の位相が反転するように金属板材１を挟んで対向して配置する。そして、双方のコイル導体に相互に反対方向の交番電流ｉｃを流す。
【００１３】
そうすると、図２に示すように、コイル導体Ａの山部とコイル導体Ｂの谷部で囲まれた領域３には、当該領域３に沿って誘導電流ｉｗが循環する誘導電流路４が生成され、コイル導体Ａの谷部とコイル導体Ｂの山部で囲まれた領域３´には、当該領域３´に沿って循環する、領域３とは誘導電流ｉｗの循環する向きが反対方向の誘導電流路４´が生成される。
【００１４】
当該生成された誘導電流路４と誘導電流路４´は、図２に示すように金属板材１の板幅方向に交互に連続して隣り合うが、誘起された誘導電流ｉｗの循環する向きが相互に反対方向であるので、相互に独立したものとなる。このため、誘導電流路４を生成するコイル導体Ａの山部とコイル導体Ｂの谷部、および誘導電流路４´を生成するコイル導体Ａの谷部とコイル導体Ｂの山部のそれぞれの部分は、独立した誘導加熱コイルということができる。
【００１５】
したがって、金属板材１の板幅方向に交互に連続して隣り合う、各々が独立した誘導電流路４、４´を生成する、金属板材を挟んで対向して配置されたコイル導体Ａとコイル導体Ｂを備える当該誘導加熱コイルは、金属板材の板幅方向に相互に独立した誘導加熱コイルを複数形成して、金属板材１を誘導加熱するトランスバース方式誘導加熱コイル２ということができる。
【００１６】
すなわち、本発明者が得た第１の技術的知見は、このような波形状のコイル導体を金属板材１を挟んで対向して配置したトランスバース方式誘導加熱コイル２は、前記したように金属板材１の板幅方向に相互に独立した誘導加熱コイルを複数形成し、当該形成された各々の誘導加熱コイルが相互に独立した誘導電流路を生成するので、誘起された誘導電流ｉｗが金属板材のエッジ部を集中して流れて過熱するオーバーヒートを生じることなく、板幅方向の温度分布を均一にできるということである。
さらには、図３に示すように、搬送される金属板材１の板幅寸法が変化しても、形成された各々の誘導加熱コイルが相互に独立した誘導電流路を生成するので、何らの調整を施すことなく、エッジ部にオーバーヒートを生じることなく板幅方向の温度分布を均一にできるということである。
【００１７】
（Ｂ）第２の技術的知見
平面形状が山部と谷部が交互に連続する波形状のコイル導体を２本用意し、図４に示すように、一方のコイル導体Ａを金属板材１の片面側の板幅方向に、他方のコイル導体Ｂを金属板材の同一面側、すなわち、コイル導体Ａと同じ面側の板幅方向に延設する。この際に、双方のコイル導体Ａ、Ｂは、波の中心線が重なるように、かつ、双方のコイル導体の波の位相が反転するように金属板材１の片面側に重ねて配置する。そして、双方のコイル導体Ａ、Ｂに相互に反対方向の交番電流ｉｃを流す。
【００１８】
そうすると、図５に示すように、コイル導体Ａの山部とコイル導体Ｂの谷部で囲まれた領域３には、当該領域３に沿って誘導電流ｉｗが循環する誘導電流路４が生成され、コイル導体Ａの谷部とコイル導体Ｂの山部で囲まれた領域３´には、当該領域３´に沿って循環する、領域３とは誘導電流ｉｗの循環する向きが反対方向の誘導電流路４´が生成される。
【００１９】
当該生成された誘導電流路４と誘導電流路４´は、図５に示すように金属板材１の板幅方向に交互に連続して隣り合うが、誘起された誘導電流ｉｗの循環する向きが相互に反対方向であるので、相互に独立したものとなる。このため、誘導電流路４を生成するコイル導体Ａの山部とコイル導体Ｂの谷部、および誘導電流路４´を生成するコイル導体Ａの谷部とコイル導体Ｂの山部のそれぞれの部分は、独立した誘導加熱コイルということができる。
【００２０】
したがって、金属板材１の板幅方向に交互に連続して隣り合う、各々が独立した誘導電流路４、４´を生成する、金属板材の片面側に重ねて配置されたコイル導体Ａとコイル導体Ｂを備える当該誘導加熱コイルは、金属板材の板幅方向に相互に独立した誘導加熱コイルを複数形成して、金属板材１を誘導加熱するトランスバース方式誘導加熱コイル２ということができる。
【００２１】
すなわち、本発明者が得た第２の技術的知見は、このような波形状のコイル導体を金属板材１の片面側に重ねて配置したトランスバース方式誘導加熱コイル２は、前記したように金属板材１の板幅方向に相互に独立した誘導加熱コイルを複数形成し、当該形成された各々の誘導加熱コイルが相互に独立した誘導電流路を生成するので、誘起された誘導電流ｉｗが金属板材のエッジ部を集中して流れて過熱するオーバーヒートを生じることなく、板幅方向の温度分布を均一にできるということである。
さらには、図６に示すように、搬送される金属板材１の板幅寸法が変化しても、形成された各々の誘導加熱コイルが相互に独立した誘導電流路を生成するので、何らの調整を施すことなく、エッジ部にオーバーヒートを生じることなく板幅方向の温度分布を均一にできるということである。
【００２２】
（Ｃ）第３の技術的知見
平面形状が山部と谷部が交互に連続する波形状のコイル導体を２本用意し、図７に示すように、一方のコイル導体Ａを金属板材１の片面側の板幅方向に、他方のコイル導体Ｂを金属板材の同一面側、すなわち、コイル導体Ａと同じ面側の板幅方向に延設する。この際に、双方のコイル導体Ａ、Ｂは、波の中心線が重なるように、かつ、双方のコイル導体の波の位相が反転するように金属板材の片面側に重ねて配置する。
さらに、平面形状が山部と谷部が交互に連続する波形状のコイル導体を２本用意し、一方のコイル導体Ｃを金属板材のもう片面側の板幅方向に、他方のコイル導体Ｄを金属板材の同一面側、すなわち、コイル導体Ｃと同じ面側の板幅方向に延設する。この際に、コイル導体Ｃについては、コイル導体Ａの波の中心線と重なるように、かつ、波の位相が一致するように金属板材を挟んで対向して配置する。コイル導体Ｄについては、コイル導体Ｂの波の中心線と重なるように、かつ、波の位相が一致するように金属板材を挟んで対向して配置する。
そして、コイル導体Ａとコイル導体Ｂには相互に反対方向の、コイル導体Ｃにはコイル導体Ａと同一方向の、コイル導体Ｄにはコイル導体Ｂと同一方向の交番電流ｉｃを流す。
【００２３】
そうすると、図８に示すように、コイル導体Ａ、Ｃの山部とコイル導体Ｂ、Ｄの谷部で囲まれた領域３には、当該領域３に沿って誘導電流ｉｗが循環する誘導電流路４が生成され、コイル導体Ａ、Ｃの谷部とコイル導体Ｂ、Ｄの山部で囲まれた領域３´には、当該領域３´に沿って循環する、領域３とは誘導電流ｉｗの循環する向きが反対方向の誘導電流路４´が生成される。
【００２４】
当該生成された誘導電流路４と誘導電流路４´は、図８に示すように金属板材１の板幅方向に交互に連続して隣り合うが、誘起された誘導電流ｉｗの循環する向きが相互に反対方向であるので、相互に独立したものとなる。このため、誘導電流路４を生成するコイル導体Ａ、Ｃの山部とコイル導体Ｂ、Ｄの谷部、および誘導電流路４´を生成するコイル導体Ａ、Ｃの谷部とコイル導体Ｂ、Ｄの山部のそれぞれの部分は、独立した誘導加熱コイルということができる。
【００２５】
したがって、金属板材１の板幅方向に交互に連続して隣り合う、各々が独立した誘導電流路４、４´を生成する、コイル導体Ａ、コイル導体Ｂ、コイル導体Ｃ、およびコイル導体Ｄを備える当該誘導加熱コイルは、金属板材の板幅方向に相互に独立した誘導加熱コイルを複数形成して、金属板材１を誘導加熱するトランスバース方式誘導加熱コイル２ということができる。
【００２６】
すなわち、本発明者が得た第３の技術的知見は、このような波形状のコイル導体４本を備えるトランスバース方式誘導加熱コイル２は、前記したように金属板材１の板幅方向に相互に独立した誘導加熱コイルを複数形成し、当該形成された各々独立の誘導加熱コイルが相互に独立した誘導電流路を生成するので、誘起された誘導電流ｉｗが金属板材のエッジ部を集中して流れて過熱するオーバーヒートを生じることなく、板幅方向の温度分布を均一にできるということである。
さらには、図９に示すように、搬送される金属板材１の板幅寸法が変化しても、形成された各々独立の誘導加熱コイルが相互に独立した誘導電流路を生成するので、何らの調整を施すことなく、エッジ部にオーバーヒートを生じることなく板幅方向の温度分布を均一にできるということである。
【００２７】
上記の知見に基づき、本発明者は、搬送される金属板材の板幅寸法が変化しても、何らの調整を施すことなく、エッジ部にオーバーヒートを生じることなく板幅方向の温度分布を均一にすることができるトランスバース方式誘導加熱コイルに想到した。その要旨とするところは以下の通りである。
【００２８】
（１）搬送される金属板材の片面側の板幅方向に延設されたコイル導体と、もう片面側の板幅方向に延設されたコイル導体を備え、双方のコイル導体に相互に反対方向の交番電流を流して、前記金属板材の板厚方向に交番磁界を貫通させて、前記金属板材を誘導加熱するトランスバース方式誘導加熱コイルであって、双方のコイル導体の平面形状はいずれも山部と谷部が交互に連続する波形状であり、双方のコイル導体の波の中心線が重なるように、かつ、双方のコイル導体の波の位相が反転するように、双方のコイル導体を前記金属板材を挟んで対向して配置したトランスバース方式誘導加熱コイル。
【００２９】
（２）搬送される金属板材の片面側の板幅方向に延設されたコイル導体と、同一面側の板幅方向に延設されたコイル導体を備え、双方のコイル導体に相互に反対方向の交番電流を流して、前記金属板材の板厚方向に交番磁界を貫通させて、前記金属板材を誘導加熱するトランスバース方式誘導加熱コイルであって、双方のコイル導体の平面形状はいずれも山部と谷部が交互に連続する波形状であり、双方のコイル導体の波の中心線が重なるように、かつ、双方のコイル導体の波の位相が反転するように、双方のコイル導体を前記金属板材の片面側に重ねて配置したトランスバース方式誘導加熱コイル。
【００３０】
（３）金属板材の片面側に重ねて配置した前記（２）に記載のコイル導体を前記金属板材の片面側ともう片面側に備え、片面側ともう片面側のコイル導体に同一方向の交番電流を流して、前記金属板材の板厚方向に交番磁界を貫通させて、前記金属板材を誘導加熱するトランスバース方式誘導加熱コイルであって、片面側ともう片面側のコイル導体の波の中心線が重なるように、かつ、片面側ともう片面側のコイル導体の波の位相が一致するように、片面側ともう片面側のコイル導体を前記金属板材を挟んで対向して配置した前記（２）に記載のトランスバース方式誘導加熱コイル。
【発明の効果】
【００３１】
（イ）本発明に係るトランスバース方式誘導加熱コイルは、金属板材の板幅方向に相互に独立した誘導加熱コイルを複数形成し、当該形成された各々の誘導加熱コイルが相互に独立した誘導電流路を生成するので、誘起された誘導電流ｉｗが金属板材のエッジ部を集中して流れて過熱するオーバーヒートを生じることなく、板幅方向の温度分布を均一にすることができる。
（ロ）本発明に係るトランスバース方式誘導加熱コイルは、形成された各々の誘導加熱コイルが相互に独立した誘導電流路を生成するので、搬送される金属板材の板幅寸法が変化しても、何らの調整を施すことなく、エッジ部にオーバーヒートを生じることなく板幅方向の温度分布を均一にすることができる。
【発明を実施するための最良の形態】
【００３２】
以下、図１〜図１２を参照して、本発明を実施するための最良の形態を説明する。
図１は本発明に係るトランスバース方式誘導加熱コイル２の第１の形態を示す模式図であり、（ａ）は金属板材の反対側を透視した平面図、（ｂ）は（ａ）図のＸ１−Ｘ１線断面図である。
図１に示すように、本発明に係るトランスバース方式誘導加熱コイル２は、平面形状が山部と谷部が交互に連続する波形状のコイル導体を少なくとも２本備え、一方のコイル導体Ａは金属板材１の片面側の板幅方向に、そして他方のコイル導体Ｂは金属板材のもう片面側の板幅方向に延設される。また、双方のコイル導体Ａ、Ｂは、波の中心線が重なるように、かつ、双方のコイル導体の波の位相が反転するように金属板材１を挟んで対向して配置される。ここで、波の位相が反転するとは、前記波の中心線を軸としてコイル導体Ａを反転させたときにコイル導体Ｂの位相と一致することをいう。
すなわち、本発明に係るトランスバース方式誘導加熱コイル２の第１の形態は、本発明者が得た第１の技術的知見に基づいて完成されたものであり、その形態としては、前記波形状のコイル導体を金属板材１を挟んで対向して配置したトランスバース方式誘導加熱コイル２に関するものである。
【００３３】
ここで、本発明に係るトランスバース方式誘導加熱コイル２の技術的特徴の一つは、コイル導体の平面形状が波形状であることだが、当該波形（なみがた）には、図１（ａ）に示すような台形とこれを反転したものが交互に連続する波形状のほか、矩形波、三角波、正弦波を含む。
【００３４】
双方のコイル導体は接続導体７によって交番電源８に接続され、コイル導体Ａとコイル導体Ｂは接続導体７によって接続される。図１（ａ）に記載の矢印は、ある瞬間における交番電流ｉｃの流れる方向を図示したものであり、本発明に係るトランスバース方式誘導加熱コイル２においては、当該図に示すように双方のコイル導体に相互に反対方向となる交番電流ｉｃを流す。
なお、図１（ｂ）に記載の記号○の中の小さな●は、コイル導体内を流れる交番電流ｉｃが紙面の裏面側から表面側に向かって流れることを、記号○の中の×は、コイル導体内を流れる交番電流ｉｃが紙面の表面側から裏面側に向かって流れることを示している。
【００３５】
図２は、双方のコイル導体に相互に反対方向となる交番電流ｉｃを流すことによって、金属板材１内に誘起された誘導電流ｉｗの循環する位置と循環する方向を示す模式図である。図２に示すようにコイル導体Ａの山部とコイル導体Ｂの谷部で囲まれた領域３には、当該領域３に沿って誘導電流ｉｗが循環する誘導電流路４が生成され、コイル導体Ａの谷部とコイル導体Ｂの山部で囲まれた領域３´には、当該領域３´に沿って循環する、誘導電流ｉｗの循環する向きが領域３とは反対方向の誘導電流路４´が生成される。
【００３６】
当該生成された誘導電流路４と誘導電流路４´は、図２に示すように金属板材１の板幅方向に交互に連続して隣り合うが、金属板材１内に誘起された誘導電流ｉｗの循環する向きが相互に反対方向であるので、相互に独立したものとなる。
このため、誘導電流路４を生成するコイル導体Ａの山部とコイル導体Ｂの谷部、および誘導電流路４´を生成するコイル導体Ａの谷部とコイル導体Ｂの山部のそれぞれの部分は、金属板材１の板厚方向に交番磁界を貫通させて、金属板材１を誘導加熱する独立した誘導加熱コイルということができる。
【００３７】
したがって、金属板材１の板幅方向に交互に連続して隣り合う、各々が独立した誘導電流路４、４´を生成する、金属板材１を挟んで対向して配置されたコイル導体Ａとコイル導体Ｂを備える当該誘導加熱コイル２は、金属板材１の板幅方向に相互に独立した誘導加熱コイルを複数形成して、当該形成された各々独立の誘導加熱コイルが金属板材１を誘導加熱するトランスバース方式誘導加熱コイル２ということができる。
例えば、図１〜図２に例示した本発明に係るトランスバース方式誘導加熱コイル２は、金属板材１の板幅方向に相互に独立した誘導加熱コイルを４つ形成して、当該形成された各々独立の４つの誘導加熱コイルが、金属板材１の板厚方向に各々独立の交番磁界を貫通させて、金属板材１を誘導加熱するトランスバース方式誘導加熱コイル２ということができる。
【００３８】
すなわち、本発明に係るトランスバース方式誘導加熱コイル２の技術的特徴の一つは、金属板材１内に誘起された誘導電流ｉｗが金属板材のエッジ部を集中して流れて当該エッジ部が過熱するオーバーヒートを生じることなく、板幅方向の温度分布を均一にできることであるが、これは、本発明に係るトランスバース方式誘導加熱コイル２は、金属板材１の板幅方向に相互に独立した誘導加熱コイルを複数形成し、当該形成された各々独立の誘導加熱コイルが金属板材１の板幅方向に相互に独立した誘導電流路を生成するので、エッジ部にオーバーヒートを生じることなく板幅方向の温度分布を均一にできるのである。
【００３９】
また、本発明に係るトランスバース方式誘導加熱コイル２の技術的特徴の一つは、搬送される金属板材１の板幅寸法が変化しても、何らの調整を施すことなく、エッジ部にオーバーヒートを生じることなく板幅方向の温度分布を均一にできることであるが、これについても、本発明に係るトランスバース方式誘導加熱コイル２は、金属板材１の板幅方向に相互に独立した誘導加熱コイルを複数形成し、図３に示すように当該形成された各々独立の誘導加熱コイルが、金属板材１の板幅方向に相互に独立した誘導電流路を生成するので、従来技術に係る誘導加熱装置や誘導加熱方法とはまったく異なり、何らの調整を施すことなく、エッジ部にオーバーヒートを生じることなく板幅方向の温度分布を均一にできるのである。
【００４０】
図１〜図３に例示した本発明に係るトランスバース方式誘導加熱コイル２は、前記平面形状が波形状のコイル導体を２本備えたものであるが、コイル導体の数はこれに限定されるものではない。図１０は、金属板材１の片面側の板幅方向にコイル導体Ａを２本延設し、金属板材のもう片面側の板幅方向にコイル導体Ｂを２本延設した本発明に係るトランスバース方式誘導加熱コイル２の例である。
【００４１】
このように１本のコイル導体Ａと１本のコイル導体Ｂからなるコイル導体の組１１を２組延設する場合においては、図１０（ａ）に示すように、上流側のコイル導体の組１１によって生成される誘導電流路と、下流側のコイル導体の組１１によって生成される誘導電流路が千鳥に配置されるように、上流側のコイル導体の組１１と下流側のコイル導体の組１１を配置することが望ましい。図１０（ａ）は、上流側のコイル導体の組１１によって生成される誘導電流路４と誘導電流路４´の間に、下流側のコイル導体の組１１による誘導電流路４が生成されるように、上流側のコイル導体の組１１と下流側のコイル導体の組１１を配置した例である。上流側のコイル導体の組１１によって生成される誘導電流路４と誘導電流路４´は相互に独立であるため、誘導電流路４と誘導電流路４´の間に位置する部位の誘導加熱温度は誘導電流路４、４´が生成される領域よりも若干低くなるが、このように上流側のコイル導体の組１１によって生成される誘導電流路４と誘導電流路４´の間に、下流側のコイル導体の組１１によって誘導電流路４が生成されるようにすると、板幅方向の温度分布をより均一にすることができる。
【００４２】
図１１は、金属板材１の片面側の板幅方向にコイル導体Ａを６本延設し、金属板材のもう片面側の板幅方向にコイル導体Ｂを６本延設した、すなわち、１本のコイル導体Ａと１本のコイル導体Ｂからなるコイル導体の組１１を６組延設した本発明に係るトランスバース方式誘導加熱コイル２の例である。この例においては、最上流側のコイル導体の組１１によって生成される誘導電流路４と誘導電流路４´の間に、次段のコイル導体の組１１による誘導電流路４が生成されるように、また、当該コイル導体の組１１によって生成される誘導電流路４と誘導電流路４´の間に、さらに次段のコイル導体の組１１による誘導電流路４が生成されるように６組のコイル導体の組１１を配置し、板幅方向の温度分布をより均一にできるようにしている。このように上流側から下流側に向かってコイル導体の組１１を複数段配置すると、金属板材の温度上昇速度を細かく設定することができるので、焼鈍設備、メッキ層の合金化処理設備、乾燥設備等、厳しい温度管理が要求される設備に適用した場合の効果は甚大である。
【００４３】
なお、図１１においては、ある段におけるコイル導体の組１１によって生成される誘導電流路４と誘導電流路４´の間に、次段のコイル導体の組１１によって生成される誘導電流路４の中心、より具体的には、当該誘導電流が循環する領域の中心が配置されるようにコイル導体の組１１を配置しているが、当該コイル導体の組１１の配置はこれに限定されるものではない。
また、図１１においては、上流側から初段、三段および五段目に配置されるコイル導体の板幅方向の位相が一致するように、同様に、上流側から二段、四段および六段目に配置されるコイル導体の板幅方向の位相が一致するようにコイル導体の組１１を配置しているが、当該コイル導体の組１１の配置はこれに限定されるものではなく、例えば、初段〜六段目に配置されるコイル導体の板幅方向の位相がすべての段において異なるように、各段に配置されるコイル導体の板幅方向の位相をシフトしてもよい。
【００４４】
次に、本発明者が得た第２の技術的知見に基づいて完成された、別の形態の本発明に係るトランスバース方式誘導加熱コイル２について説明する。
【００４５】
図４は本発明に係るトランスバース方式誘導加熱コイル２の第２の形態を示す模式図であり、（ａ）は金属板材の反対側を透視した平面図、（ｂ）は（ａ）図のＸ２−Ｘ２線断面図である。
すなわち、上記説明した本発明に係るトランスバース方式誘導加熱コイル２の第１の形態（以下、第１の形態と表記する。）が、前記波形状のコイル導体を金属板材１を挟んで対向して配置するのに対し、これから説明する本発明に係るトランスバース方式誘導加熱コイル２の第２の形態（以下、第２の形態と表記する。）は、前記波形状のコイル導体を金属板材１の片面側に重ねて配置するものである。
【００４６】
より具体的には、第２の形態は、図４に示すように前記波形状のコイル導体を少なくとも２本備え、一方のコイル導体Ａは金属板材１の片面側の板幅方向に、そして他方のコイル導体Ｂは金属板材の同一面側、すなわち、コイル導体Ａと同じ面側の板幅方向に延設される。また、双方のコイル導体Ａ、Ｂは、波の中心線が重なるように、かつ、双方のコイル導体の波の位相が反転するように金属板材１の片面側に重ねて配置される。
ここで、金属板材１の片面側に重ねて配置するとは、コイル導体Ａとコイル導体Ｂの間に間隙を設けてコイル導体Ａとコイル導体Ｂが接しないように重ねて配置する場合と、前記間隙を設けないで双方のコイル導体が接するように重ねて配置する場合の双方を含み、いずれの配置であってもよい。また、コイル導体Ａとコイル導体Ｂが交差する波の中心線上の部分を鞍状に形成して、当該鞍状部分において一方のコイル導体が他方のコイル導体を跨ぐようにしてもよい。
【００４７】
第２の形態においても第１の形態と同様に、双方のコイル導体Ａ、Ｂに相互に反対方向の交番電流ｉｃを流す。図５は、双方のコイル導体に相互に反対方向となる交番電流ｉｃを流すことによって、金属板材１内に誘起された誘導電流ｉｗの循環する位置と循環する方向を示す模式図である。
【００４８】
図５に示すようにコイル導体Ａの山部とコイル導体Ｂの谷部で囲まれた領域３には、当該領域３に沿って誘導電流ｉｗが循環する誘導電流路４が生成され、コイル導体Ａの谷部とコイル導体Ｂの山部で囲まれた領域３´には、当該領域３´に沿って循環する、誘導電流ｉｗの循環する向きが領域３とは反対方向の誘導電流路４´が生成される。
当該生成された誘導電流路４と誘導電流路４´は、図５に示すように金属板材１の板幅方向に交互に連続して隣り合うが、金属板材１内に誘起された誘導電流ｉｗの循環する向きが相互に反対方向であるので、相互に独立したものとなる。
このため、誘導電流路４を生成するコイル導体Ａの山部とコイル導体Ｂの谷部、および誘導電流路４´を生成するコイル導体Ａの谷部とコイル導体Ｂの山部のそれぞれの部分は、金属板材１の板厚方向に交番磁界を貫通させて、金属板材１を誘導加熱する独立した誘導加熱コイルということができる。
【００４９】
したがって、金属板材１の板幅方向に交互に連続して隣り合う、各々が独立した誘導電流路４、４´を生成する、金属板材１の片面側に重ねて配置されたコイル導体Ａとコイル導体Ｂを備える第２の形態は、金属板材１の板幅方向に相互に独立した誘導加熱コイルを複数形成して、当該形成された各々独立の誘導加熱コイルが金属板材１を誘導加熱するトランスバース方式誘導加熱コイル２ということができる。
例えば、図４〜図５に例示した第２の形態は、金属板材１の板幅方向に相互に独立した誘導加熱コイルを４つ形成して、当該形成された各々独立の４つの誘導加熱コイルが、金属板材１の板厚方向に各々独立の交番磁界を貫通させて、金属板材１を誘導加熱するトランスバース方式誘導加熱コイル２ということができる。
【００５０】
すなわち、本発明に係るトランスバース方式誘導加熱コイル２の技術的特徴の一つは、金属板材１内に誘起された誘導電流ｉｗが金属板材のエッジ部を集中して流れて当該エッジ部が過熱するオーバーヒートを生じることなく、板幅方向の温度分布を均一にできることであるが、これは、第２の形態においても、金属板材１の板幅方向に相互に独立した誘導加熱コイルを複数形成し、当該形成された各々独立の誘導加熱コイルが金属板材１の板幅方向に相互に独立した誘導電流路を生成するので、エッジ部にオーバーヒートを生じることなく板幅方向の温度分布を均一にできるのである。
【００５１】
また、本発明に係るトランスバース方式誘導加熱コイル２の技術的特徴の一つは、搬送される金属板材１の板幅寸法が変化しても、何らの調整を施すことなく、エッジ部にオーバーヒートを生じることなく板幅方向の温度分布を均一にできることであるが、これは、第２の形態においても、金属板材１の板幅方向に相互に独立した誘導加熱コイルを複数形成し、図６に示すように当該形成された各々独立の誘導加熱コイルが、金属板材１の板幅方向に相互に独立した誘導電流路を生成するので、従来技術に係る誘導加熱装置や誘導加熱方法とはまったく異なり、何らの調整を施すことなく、エッジ部にオーバーヒートを生じることなく板幅方向の温度分布を均一にできるのである。
【００５２】
図４〜図６に例示した第２の形態は、前記平面形状が波形状のコイル導体を２本備えたものであるが、コイル導体の数はこれに限定されるものではない。
第１の形態におけるコイル導体の組１１が、金属板材１の片面側の板幅方向に延設されたコイル導体Ａと、もう片面側の板幅方向に延設されたコイル導体Ｂからなるコイル導体の組１１を指すのに対して、第２の形態におけるコイル導体の組１１が、金属板材１の片面側の板幅方向に延設されたコイル導体Ａと、同一面側の板幅方向に延設されたコイル導体Ｂからなるコイル導体の組１１を指す点において両者は異なる。
しかし、第２の形態においても第１の形態と同様に、１本のコイル導体Ａと１本のコイル導体Ｂからなるコイル導体の組１１を金属板材１の上流側から下流側に向かって２段配置することにより、板幅方向の温度分布をより均一にすることができる。また、第２の形態においても第１の形態と同様に、コイル導体の組１１を金属板材１の上流側から下流側に向かって複数段配置することにより、金属板材の温度上昇速度を細かく設定することができる。
【００５３】
次に、本発明者が得た第３の技術的知見に基づいて完成された、さらに別の形態の本発明に係るトランスバース方式誘導加熱コイル２について説明する。
【００５４】
図７は本発明に係るトランスバース方式誘導加熱コイル２の第３の形態を示す模式図であり、（ａ）は金属板材の反対側を透視した平面図、（ｂ）は（ａ）図のＸ３−Ｘ３線断面図である。
図７に示すように、本発明に係るトランスバース方式誘導加熱コイル２の第３の形態（以下、第３の形態と表記する。）は、前記波形状のコイル導体を少なくとも４本備えた形態である。そして、４本のコイル導体のうちのコイル導体Ａは金属板材１の片面側の板幅方向に、コイル導体Ｂは金属板材の同一面側、すなわち、コイル導体Ａと同じ面側の板幅方向に延設される。この際に、双方のコイル導体Ａ、Ｂは、波の中心線が重なるように、かつ、双方のコイル導体の波の位相が反転するように金属板材の片面側に重ねて配置される。
さらに、コイル導体Ｃは金属板材のもう片面側の板幅方向に、コイル導体Ｄは金属板材の同一面側、すなわち、コイル導体Ｃと同じ面側の板幅方向に延設させる。この際に、コイル導体Ｃについては、コイル導体Ａの波の中心線と重なるように、かつ、波の位相が一致するように金属板材１を挟んで対向して配置される。コイル導体Ｄについては、コイル導体Ｂの波の中心線と重なるように、かつ、波の位相が一致するように金属板材を挟んで対向して配置される。換言すると、コイル導体Ｃ、Ｄは、波の中心線が重なるように、かつ、双方のコイル導体の波の位相が反転するように金属板材１のもう片面側に重ねて配置される。
ここで、金属板材１のもう片面側に重ねて配置するとは、コイル導体Ｃとコイル導体Ｄの間に間隙を設けてコイル導体Ｃとコイル導体Ｄが接しないように重ねて配置する場合と、前記間隙を設けないで双方のコイル導体が接するように重ねて配置する場合の双方を含み、いずれの配置であってもよい。また、コイル導体Ｃとコイル導体Ｄが交差する波の中心線上の部分を鞍状に形成して、当該鞍状部分において一方のコイル導体が他方のコイル導体を跨ぐようにしてもよい。
なお、金属板材の反対側を透視した平面図である図７（ａ）、図８、および図９においては、コイル導体Ｃがコイル導体Ａと重なるので、また、コイル導体Ｄがコイル導体Ｂと重なるので、コイル導体Ｃとコイル導体Ｄの図示を省略している。
【００５５】
第３の形態においては、図７（ｂ）に示すようにコイル導体Ａとコイル導体Ｂには相互に反対方向の、コイル導体Ｃにはコイル導体Ａと同一方向の、コイル導体Ｄにはコイル導体Ｂと同一方向の交番電流ｉｃを流す。図８は、コイル導体Ａ〜Ｄに対して前記方向の交番電流ｉｃを流すことによって、金属板材１内に誘起された誘導電流ｉｗの循環する位置と循環する方向を示す模式図である。
【００５６】
図８に示すようにコイル導体Ａ、Ｃの山部とコイル導体Ｂ、Ｄの谷部で囲まれた領域３には、当該領域３に沿って誘導電流ｉｗが循環する誘導電流路４が生成され、コイル導体Ａ、Ｃの谷部とコイル導体Ｂ、Ｄの山部で囲まれた領域３´には、当該領域３´に沿って循環する、誘導電流ｉｗの循環する向きが領域３とは反対方向の誘導電流路４´が生成される。
当該生成された誘導電流路４と誘導電流路４´は、図８に示すように金属板材１の板幅方向に交互に連続して隣り合うが、金属板材１内に誘起された誘導電流ｉｗの循環する向きが相互に反対方向であるので、相互に独立したものとなる。
このため、誘導電流路４を生成するコイル導体Ａ、Ｃの山部とコイル導体Ｂ、Ｄの谷部、および誘導電流路４´を生成するコイル導体Ａ、Ｃの谷部とコイル導体Ｂ、Ｄの山部のそれぞれの部分は、金属板材１の板厚方向に交番磁界を貫通させて、金属板材１を誘導加熱する独立した誘導加熱コイルということができる。
【００５７】
したがって、金属板材１の板幅方向に交互に連続して隣り合う、各々が独立した誘導電流路４、４´を生成する、コイル導体Ａ、コイル導体Ｂ、コイル導体Ｃ、およびコイル導体Ｄを備える第３の形態は、金属板材１の板幅方向に相互に独立した誘導加熱コイルを複数形成して、当該形成された各々独立の誘導加熱コイルが金属板材１を誘導加熱するトランスバース方式誘導加熱コイル２ということができる。
例えば、図７〜図８に例示した第３の形態は、金属板材１の板幅方向に相互に独立した誘導加熱コイルを４つ形成して、当該形成された各々独立の４つの誘導加熱コイルが、金属板材１の板厚方向に各々独立の交番磁界を貫通させて、金属板材１を誘導加熱するトランスバース方式誘導加熱コイル２ということができる。
【００５８】
すなわち、本発明に係るトランスバース方式誘導加熱コイル２の技術的特徴の一つは、金属板材１内に誘起された誘導電流ｉｗが金属板材のエッジ部を集中して流れて当該エッジ部が過熱するオーバーヒートを生じることなく、板幅方向の温度分布を均一にできることであるが、これは、第３の形態においても、金属板材１の板幅方向に相互に独立した誘導加熱コイルを複数形成し、当該形成された各々独立の誘導加熱コイルが金属板材１の板幅方向に相互に独立した誘導電流路を生成するので、エッジ部にオーバーヒートを生じることなく板幅方向の温度分布を均一にできるのである。
【００５９】
また、本発明に係るトランスバース方式誘導加熱コイル２の技術的特徴の一つは、搬送される金属板材１の板幅寸法が変化しても、何らの調整を施すことなく、エッジ部にオーバーヒートを生じることなく板幅方向の温度分布を均一にできることであるが、これは、第３の形態においても、金属板材１の板幅方向に相互に独立した誘導加熱コイルを複数形成し、図９に示すように当該形成された各々独立の誘導加熱コイルが、金属板材１の板幅方向に相互に独立した誘導電流路を生成するので、従来技術に係る誘導加熱装置や誘導加熱方法とはまったく異なり、何らの調整を施すことなく、エッジ部にオーバーヒートを生じることなく板幅方向の温度分布を均一にできるのである。
【００６０】
図７〜図９に例示した第３の形態は、前記平面形状が波形状のコイル導体を４本備えたものであるが、コイル導体の数はこれに限定されるものではない。
第１の形態におけるコイル導体の組１１が、金属板材１の片面側の板幅方向に延設されたコイル導体Ａと、もう片面側の板幅方向に延設されたコイル導体Ｂからなるコイル導体の組１１を指すのに対して、第３の形態におけるコイル導体の組１１が、金属板材１の片面側の板幅方向に延設されたコイル導体Ａ、Ｂと、もう片面側の板幅方向に延設されたコイル導体Ｃ、Ｄからなるコイル導体の組１１を指す点において両者は異なる。
しかし、第３の形態においても第１の形態と同様に、４本のコイル導体Ａ〜Ｄからなるコイル導体の組１１を金属板材１の上流側から下流側に向かって２段配置することにより、板幅方向の温度分布をより均一にすることができる。また、第３の形態においても第１の形態と同様に、コイル導体の組１１を金属板材１の上流側から下流側に向かって複数段配置することにより、金属板材の温度上昇速度を細かく設定することができる。
【００６１】
本発明に係るトランスバース方式誘導加熱コイル２を構成する前記波形状のコイル導体については、各々が絶縁処理された複数本の銅製コイル素線を絶縁テープ、ガラス繊維を撚り合わせた紐等で結束して、平面形状が波形状になるように形成し、これを絶縁ワニスで接着して、表面が絶縁処理された１本のコイル導体に形成するのが望ましい。
【００６２】
当該波形状のコイル導体の背面には、図１２（ａ）に示すように鉄心５を固定するのが望ましい。鉄心５を背面に固定することで誘導加熱コイル２の磁気抵抗が減少し、これにより金属板材１への作用磁束を増加させることができる。すなわち、誘導加熱コイル２の加熱効率を増加させることができる。また、図１２（ｂ）に示すようにコイル導体と金属板材１との間隔が狭い場合には、誘導加熱コイル２の加熱効率をさらに増加させるために、コイル導体を囲むように鉄心５を固定することが望ましい。
【００６３】
コイル導体に固定する鉄心としては、電磁鋼板を積層した積層鉄心、アモルファスコア、フェライトコア等を用いることができ、絶縁ワニス等の接着剤によってコイル導体に固定するのが望ましい。また、ボルト等の機械的な手段によってコイル導体に固定することもできる。
【００６４】
コイル導体と交番電源８とを、およびコイル導体とコイル導体とを接続する接続導体７としては、コイル導体と同様に、各々が絶縁処理された複数本の銅製コイル素線を絶縁テープ、ガラス繊維を撚り合わせた紐等で結束し、これを絶縁ワニスで接着した表面が絶縁処理された接続導体７を用いることが望ましい。なお、コイル導体との接続部においては捻回を施すのが望ましい。捻回を施すことにより、コイル導体内を流れる交番電流ｉｃの電流分布を均一にすることができ、当該電流分布の均一化は、コイル導体内に大電流・高周波電流を流す場合に特に効果を発揮する。
【００６５】
以上説明したように、本発明に係るトランスバース方式誘導加熱コイル２は、搬送される金属板材１の板幅寸法が変化しても、何らの調整を施すことなく、エッジ部にオーバーヒートを生じることなく板幅方向の温度分布を均一にすることができるので、鉄および鉄を主成分とする鋼、アルミニウム、亜鉛、銅、チタン等の非鉄金属を誘導加熱する、焼鈍設備、メッキ層の合金化処理設備、乾燥設備のほか、前記金属板材を熱処理・メッキ・圧延に適した温度に誘導加熱する設備等、広範な範囲に亘って適用することができる。
また、本発明に係るトランスバース方式誘導加熱コイル２は、金属板材１が水平方向に搬送される設備のほか、金属板材１が鉛直方向、斜め方向に搬送される設備においても上記効果を発揮するので、本発明に係るトランスバース方式誘導加熱コイル２の産業上利用性は極めて甚大である。
【図面の簡単な説明】
【００６６】
【図１】本発明に係るトランスバース方式誘導加熱コイルの第１の形態を示す模式図であり、（ａ）は透視平面図、（ｂ）は（ａ）のＸ１−Ｘ１線断面図である。
【図２】誘導電流ｉｗの循環位置と循環方向を示す模式図である。
【図３】金属板材の板幅寸法が変化したときの誘導電流ｉｗの循環位置と循環方向を示す模式図である。
【図４】本発明に係るトランスバース方式誘導加熱コイルの第２の形態を示す模式図であり、（ａ）は透視平面図、（ｂ）は（ａ）のＸ２−Ｘ２線断面図である。
【図５】誘導電流ｉｗの循環位置と循環方向を示す模式図である。
【図６】金属板材の板幅寸法が変化したときの誘導電流ｉｗの循環位置と循環方向を示す模式図である。
【図７】本発明に係るトランスバース方式誘導加熱コイルの第３の形態を示す模式図であり、（ａ）は透視平面図、（ｂ）は（ａ）のＸ３−Ｘ３線断面図である。
【図８】誘導電流ｉｗの循環位置と循環方向を示す模式図である。
【図９】金属板材の板幅寸法が変化したときの誘導電流ｉｗの循環位置と循環方向を示す模式図である。
【図１０】本発明に係るトランスバース方式誘導加熱コイルの一例を示す模式図であり、（ａ）は透視平面図、（ｂ）は（ａ）のＸ４−Ｘ４線断面図である。
【図１１】本発明に係るトランスバース方式誘導加熱コイルの一例を示す模式図である。
【図１２】コイル導体に固定する鉄心の形態を示す模式図であり、（ａ）は鉄心の一形態を示す図、（ｂ）は鉄心の別の形態を示す図である。
【符号の説明】
【００６７】
１    金属板材                    ２    誘導加熱コイル    
３、３´  領域                    ４、４´  誘導電流路
５    鉄心                        ７    接続導体
８    交番電源                  １０    搬送用ロール
１１    コイル導体の組
Ａ、Ｂ、Ｃ、Ｄ    コイル導体
ｉｃ    交番電流                  ｉｗ    誘導電流
Ｓ      金属板材の搬送方向
Ｕ      誘導加熱コイルの長さ      Ｗ    金属板材の板幅
【図１】
2008257927.tif 000003
【図２】
2008257927.tif 000004
【図３】
2008257927.tif 000005
【図４】
2008257927.tif 000006
【図５】
2008257927.tif 000007
【図６】
2008257927.tif 000008
【図７】
2008257927.tif 000009
【図８】
2008257927.tif 000010
【図９】
2008257927.tif 000011
【図１０】
2008257927.tif 000012
【図１１】
2008257927.tif 000013
【図１２】
2008257927.tif 000014